(57)【特許請求の範囲】
【請求項１】
前面枠の裏面側に遊技盤取付枠が設けられ、該遊技盤取付枠に裏面側から遊技盤が着脱自在に取り付けられ、前面枠の前面側にはガラス板保持枠が開閉自在に設けられたパチンコ遊技機において、
前記遊技盤取付枠に遊技盤の遊技部をほぼ円形に囲う装飾板部を一体に形成すると共に、該装飾板部の前面にランプ基板を取着するためのランプ収納用凹部を形成し、一方、前記ランプ基板の周縁に重合する枠状の係止部材を形成し、前記ランプ収納用凹部と係止部材の外側縁に互いに係脱し得る係合部または被係合部を設け、前記ランプ収納用凹部にランプ基板を配置し、係止部材をランプ基板に重合させると共に前記係合部と被係合部とを係合させることによりランプ基板を着脱自在に取着し、また前記ガラス板保持枠にはランプ基板と対応する位置に透光性のレンズ部材を設けたことを特徴とするパチンコ遊技機。
【請求項２】
ランプ収納用凹部の一側に係合切欠部を設け、また係止部材の一側に後方へＵ字状に屈曲し前記係合切欠部に弾力に抗して係合する弾性係合片を設け、該弾性係合片にはその外側に爪部を設けると共に該爪部の後側に該爪部から後方へ向って漸次低くなるガイド片を一体に設けてなり、前記爪部を係合切欠部に係脱するとき、前記ガイド片の外側面が係合切欠部の側縁に当ってガイドの役目を果すようにした請求項１記載のパチンコ遊技機。
【発明の詳細な説明】
【０００１】
【発明の属する技術分野】
本発明はランプ基板等の発光器を備えたパチンコ遊技機に関するものである。
【０００２】
【従来の技術】
最近のパチンコ遊技機は、遊技盤の誘導レールで囲まれる遊技領域に始動入賞口、可変表示装置、大入賞口等を配設し、始動入賞口に遊技盤が入賞すると可変表示装置の数字や図柄を変動させると共に、その停止時の表示が所定の組合せに揃うと大当りとなって大入賞口を所定時間又は所定個数の遊技球が入賞するまで開成する動作を所定サイクル行わせるようにして一時に多数の賞球が得られるように構成されたいわゆるセブン機或いは権利物と称されるものが人気を得ている。そして、大当りが発生すると発光器のランプを点灯又は点滅させて一層遊技の興趣を高めるようにされていた。
【０００３】
ところで、従来のパチンコ遊技機では、大当りの発生時に点灯又は点滅させるランプ基板などの発光器が遊技盤面或いは遊技盤の前面を覆うガラス保持枠に設けられ、具体的には例えばランプ基板を遊技盤の裏面にビス止めなどして取着し、そのランプを遊技盤の前面側に臨ませると共に、該ランプを囲うように遊技盤面に光を透過可能なレンズ部材を配設したり、或いはガラス板保持枠を合成樹脂により中空状に形成し、その中空内部にランプ基板をビス止めなどして取着すると共に、その前面側に光を透過可能なレンズ部材を設けていた。
【０００４】
【発明が解決しようとする課題】
しかるに、ランプ基板が遊技盤面に設けられている場合、そのランプが切れたりするとその都度レンズ部材を取外し、しかもランプ基板のビスを取り外して交換しなければならないため、その交換作業が面倒で手間が掛かり、また遊技盤を交換する場合にはランプ基板も一緒に廃棄されてしまうため非常に不経済であった。さらに、遊技盤にランプを臨ませるための透孔やレンズ部材を位置決めするための凹部の形成等余分な加工を施こす必要があって製造コストが高くなるという問題点があった。
【０００５】
一方、ガラス板保持枠の中空部内にランプ基板を設ける場合、構造が複雑となって成形に手間が掛かり製造コストが高くなるばかりか配線作業も面倒で作業能率が悪いという問題点があった。
【０００６】
本発明は上記のような問題点に鑑みてなされたもので、その目的とするところは、ランプ基板等の発光器の配設作業や球切れ時の交換作業が容易にできると共に、発光器の配線に関係なくガラス板保持枠及び遊技盤の交換ができるようなパチンコ遊技機を提供しようとするものである。
【０００７】
【課題を解決するための手段】
上記目的を達成するために、本発明は、前面枠の裏面側に遊技盤取付枠が設けられ、該遊技盤取付枠に裏面側から遊技盤が着脱自在に取り付けられ、前面枠の前面側にはガラス板保持枠が開閉自在に設けられたパチンコ遊技機において、前記遊技盤取付枠に遊技盤の遊技部をほぼ円形に囲う装飾板部を一体に形成すると共に、該装飾板部の前面に発光器を取着するための取付領域を形成し、該取付領域に配置される発光器をその前面に重合されかつ装飾板部に係脱自在に係合される係止部材により着脱自在に取着し、また前記ガラス板保持枠には発光器と対応する位置に透光性のレンズ部材を設けるようにしたものである。
【０００８】
このように構成することにより、発光器のランプが点灯又は点滅されるとその点灯状態がガラス板保持枠に設けられたレンズ部材を通して視認することが可能となる。また、ランプ基板の組付、または使用中に球切れなどの故障によりランプの交換をするときは、係止部材をワンタッチ式に係脱できるので、ランプ基板の着脱が簡単に行なえ、極めて容易に交換作業を行うことができる。更に、ガラス板保持枠又は遊技盤を交換する場合、発光器の配線をそのまま継続して使用することが可能となる。
【０００９】
前記発光器としては、例えばランプが装着されプリント配線されたランプ基板が有り、この場合は係止部材がランプ基板の周縁に重合する枠状に形成される。そして、ランプ収納用凹部と係止部材に互いに係脱する係合部または被係合部が設けられる。
また、ランプ収納用凹部の一側に係合切欠部を設け、また係止部材の一側に後方へＵ字状に屈曲し前記係合切欠部に弾力に抗して係合する弾性係合片を設け、該弾性係合片にはその外側に爪部を設けると共に該爪部の後側に該爪部から後方へ向って漸次低くなるガイド片を一体に設けるようにすれば、前記爪部を係合切欠部に係脱するとき、前記ガイド片の外側面が係合切欠部の側縁に当ってガイドの役目を果し、その動作がスムーズとなり、前記係止部材の脱着が円滑に行なえる。
【００１０】
【発明の実施の形態】
次に、図面を参照して、本発明の一実施の形態について説明する。図１は本発明に係るパチンコ遊技機の正面図であり、図２は前面枠から遊技盤を取り外してガラス板保持枠を開いた状態の斜視図である。パチンコ遊技機１は、縦長方形状に枠組みされる外枠２と、該外枠２の一側に開閉自在に軸支される前面枠３と、該前面枠３の前面上部に開閉自在に設けられるガラス板保持枠４とから構成されている。
【００１１】
しかして、前記外枠２に開閉自在に取り付けられる前面枠３は、合成樹脂によって一体に形成されるものであり、その上部にほぼ正方形状の開口部５が形成され、その下方部分は板状に形成されている。また、前面枠３の裏面であり開口部５の周縁には、遊技盤取付枠６が一体的に形成されており、該遊技盤取付枠６に遊技盤７が着脱自在に取り付け固定されるようになっている。一方、前面枠３の軸支側の上部と中程上下にはヒンジ８ａ，８ｂ，８ｃが設けられており、上ヒンジ８ａと中ヒンジ８ｂ及び中ヒンジ８ｂと下ヒンジ８ｃとの間にはガラス板保持枠４と打球供給皿９を有する前面扉板１０がそれぞれ開閉自在に設けられている。また前面枠３の板状に形成された下方部分には、下皿１１や操作ハンドル１２が組み付け固定されている。
【００１２】
前記遊技盤７の前面には、図１に示すように操作ハンドル１２の回動操作によって発射された遊技球を誘導するための誘導レール１３がほぼ円状に配設され、該誘導レール１３で区画された領域が遊技部として構成されている。この遊技部の中央上部には２つの可変表示器１４及び１５を上下に有する可変表示装置１６が配設されている。また、可変表示装置１６の両側方には通過始動口１７，１７が配設され、下方には可変始動口１８と大入賞口１９とが配設されている。さらに遊技部には一般入賞口２０及び風車２１等が設けられている。
【００１３】
前記前面枠３の開口部５には、遊技盤７の遊技部の上部外側を囲うように円弧状の装飾板部２２が一体に設けられており、該装飾板部２２の前面両側に正方形状をなし後記するランプ基板２４を配設するための取付領域としてのランプ収納用凹部２３、２３が形成されている。このランプ収納用凹部２３，２３には、図３及び図４に示すようにランプ基板２４を当接する段部２５が形成された枠状の取着壁２６が形成されており、該取着壁２６にランプ基板２４が係止部材２７を介して装着されるようになっている。前記ランプ収納用凹部２３には係止部材２７を装着するため、その左側に被係合部としての溝孔２８、また右側に被係合部としての係合切欠部２９がそれぞれ設けられている。３０はランプ収納用凹部２３に開設されるコード挿通孔である。前記係止部材２７は、ランプ基板２４の周縁に重合し得る正方形状の枠状に形成されており、その左右に係合部としての突片３１と同じく係合部としてのＵ字状に屈曲する弾性係合片３２が一体に設けられている。
【００１４】
また、前記前面枠３の開口部５の周囲にはガラス板保持枠４の収容段部３３が形成されており、該開口部５の開放側に位置した収容段部３３にガラス板保持枠４の施錠装置３４が装着されている。また、図２において、前記前面枠３の前面であり開口部５の上側辺部には複数の遊技効果ランプ３５ａが横並びに配設されており、その前面が透光性のカバー部材３６によって覆われている。この遊技効果ランプ３５ａは、遊技状態が特定遊技状態(大当り状態)となったときに点灯又は点滅するものである。また、開口部５の右側辺部にはランプ飾り部材３７が設けられている。このランプ飾り部材３７は、長方形状の箱枠部材３８と透光性のレンズ部材３９と内部に収容されるランプ基板（図示せず。）とが一体に結合されたユニット化構造のものである。なお、４０はレンズ部材３９の前面に臨み、前記施錠装置３４を作動させるためのシリンダー錠である。
【００１５】
一方、前記ガラス板保持枠４は、図６及び図７に示すようにほぼ正方形状に形成された合成樹脂製の本体枠４１と該本体枠４１の裏面側に装着される金属製の溝枠部材４２とから構成されている。本体枠４１の開口上方部分は遊技盤の遊技部の上部外側を覆うように円弧形状に形成されており、その円弧形状部分の両側位置にガラス板保持枠４を閉じた状態において前面枠３のランプ収納用凹部２３，２３に対応する透孔４３，４３が形成されている。そして、該透孔４３，４３に透光性のレンズ部材４４，４４が装着されている。一方、前記溝枠部材４２は、ガラス板保持枠４の上辺部を除く左右側辺部及び下側辺部を囲うようにコ字形に形成されており、前後に間隔をおいて設けられた二条の凹溝４５，４５に遊技盤７を透視し得る内、外２枚のガラス板４６，４６が上方より挿入嵌合されて保持されている。
【００１６】
なお、溝枠部材４２の開放側の上下位置には錠止め片４７が曲げ加工により一体に形成されており、本体枠４１には該錠止め片４７を覆うように突片４８，４８が形成されている。このため、前面枠３の開口部５と本体枠４１との隙間からピアノ線等を挿入して施錠装置３４から錠止め片４７を外してガラス板保持枠４を開放するような不正行為を確実に防ぐことができる。また、本体枠４１の裏面上部には円弧形状部分を覆うように補強金属板４９が取り付けられている。該補強金属板４９にはレンズ部材４４，４４に対応する透孔５０，５０が穿設されており、前記ランプ基板２４に装着されたランプ２４ａの光を前方に通すようになっている。
【００１７】
本発明に係るパチンコ遊技機１は上記構成よりなり、装飾板部２２のランプ収納用凹部２３にランプ基板２４を取り付けるには、図８鎖線に示すようにその突片３１をランプ収納用凹部２３に開設された溝孔２８に嵌めてランプ基板２４を取着壁２６の段部２５に嵌入した後、弾性係合片３２外側に設けられた爪部３２ａを係合切欠部２９に係合させる。この際、弾性係合片３２外側には図５に示すように爪部３２ａに対しＴ字状に配置され且つ外側面が爪部３２ａから後方に向って漸次低くなるガイド片３２ｃが一体に設けられていることから、前記爪部３２ａを係合切欠部２９に係脱するとき、ガイド片３２ｃの外側面が係合切欠部３２の側縁に当たってガイドの役目を果たすので、その動作がスムーズに行えることとなり、係止部材２７の脱着が円滑且つ簡単に行える。そして、これにより図８実線に示すようにランプ基板２４の前面周縁に係止部材２７の後端面２７ａが押圧重合し、ランプ基板２４がしっかりと固定される。なお、ランプ基板２４から引き出されるリード線５１はコード挿通孔３０から装飾板部２２の裏面側に引き出されて中継基板（図示せず。）に接続されるようになっている。そして、図９に示すようにガラス板保持枠４を閉めると、ランプ基板２４がレンズ部材４４と合致し、ランプ２４ａを点灯又は点滅させて遊技の興趣を一層高めるようにしている。
【００１８】
球切れやランプ基板２４の配線故障でランプ２４ａが点灯しなくなったときは、図８に示すようにガラス板保持枠４を開放した状態で、係止部材２７の弾性係合片３２の先端を内側（左側）へ引き、係合切欠部２９と爪部３２ａとの係合を解き、図８鎖線に示すように弾性係合片３２を手前に引き出して取り外す。これにより、ランプ基板２４は固定が解かれ簡単に取り外すことができる。このようにしてランプ基板２４を取り外すことができれば、その点検がし易く、しかもランプ２４ａの交換又はランプ基板２４そのものの交換も簡単に行なえる。前記Ｕ字状の弾性係合片３２の先端部３２ｂは操作性を良くするため手前に比較的長く形成しておくことが好ましい。
【００１９】
このように、本発明にあっては遊技盤取付枠６と一体に装飾板部２２を形成し、該装飾板部２２側にランプ基板２４、またガラス板保持枠４側にレンズ部材４４をそれぞれ分離して設けるようにしたので、ガラス板保持枠４を開放すればランプ基板２４が前面枠３の前面に露出されることとなり、しかも係止部材２７を外すことによりランプ基板２４がワンタッチ式に簡単に外すことができ、ランプ基板２４の交換またはランプ２４ａの交換が極めて容易に行うことができる。更に、ガラス板保持枠４又は遊技盤７を交換する場合にランプ基板２４から引き出されるリード線５１もそのまま継続して使用することができる。
【００２０】
図１０に示したものは他の実施の形態に係るもので、ランプ収納用凹部２３の一側に係合部としての弾性係合片５２を設け、係止部材２７の一側に前記弾性係合片５２に係合し得る被係合部としての係合片５３を設けたもので、このような構成であっても本発明の目的を充分達成することができる。
【００２１】
なお、本発明は発光器としてランプ基板２４について説明したが、ソケット式など他の形状の発光器であっても良く、また発光器としてランプ基板２４を装飾板部２２に装着した場合を説明したが、他に前面枠３の前面に装着されるランプ基板についても同様に適用できること勿論である。
【００２２】
【発明の効果】
以上述べたように本発明に係るパチンコ遊技機は、発光器を装飾板部に係脱自在に係合する係止部材により着脱自在に取着できるようにし、またこれと対応するレンズ部材をガラス板保持枠に設けるようにしたので、該ガラス板保持枠を開放し、係止部材を取り外すのみで発光器がワンタッチ式に取付けまたは取外しできることとなり、発光器の取付又は交換作業、更にはランプの交換作業までもが極めて簡単に行なえるという効果を有する。
【００２３】
また、ガラス板保持枠又は遊技盤を交換する場合でもランプ基板の発光器及びその配線はそのまま継続して使用することができるので、非常に経済的かつ産業廃棄物の減少に効果的であり、しかも外レールの取り付けやランプ基板、ランプ等を臨ませるための孔あけ作業が不要となり、遊技盤を製作するための作業能率が著しく向上でき、コストも低廉になし得る。
【図面の簡単な説明】
【図１】本発明に係るパチンコ遊技機の正面図。
【図２】遊技盤を前面枠から取り外してガラス板保持枠を開放した状態のパチンコ遊技機の斜視図。
【図３】ランプ収納用凹部部分の要部斜視図。
【図４】同分解斜視図。
【図５】係止部材の裏面から見た斜視図。
【図６】ガラス板保持枠の裏から見た斜視図。
【図７】同分解斜視図。
【図８】発光器を取付け又は取外す作用状態を示す前面枠の要部の平面断面図。
【図９】発光器を取り付けガラス板保持枠を閉じた状態を示す前面枠の要部の平面断面図。
【図１０】他の実施の形態に係る発光器の取付状態を示す前面枠の要部の平面断面図。
【符号の説明】
１          パチンコ遊技機
３          前面枠
４          ガラス板保持枠
６          遊技盤取付枠
７          遊技盤
２２        装飾板部
２３        取付領域（ランプ収納用凹部）
２４        発光器（ランプ基板）
２７        係止部材
４４        レンズ部材
【図１】
0004512223.tif 000002
【図２】
0004512223.tif 000003
【図３】
0004512223.tif 000004
【図４】
0004512223.tif 000005
【図５】
0004512223.tif 000006
【図６】
0004512223.tif 000007
【図７】
0004512223.tif 000008
【図８】
0004512223.tif 000009
【図９】
0004512223.tif 000010
【図１０】
0004512223.tif 000011